(57)【要約】【課題】本発明は積ブロックを積み上げて形成した擁壁を利用し、該擁壁にカワセミ、ヤマセミ、ショウドウツバメ等に対し良好な環境の水場機能を付加した擁壁を提供する。殊に上記した既存の擁壁の上段側に積ブロックを急峻な角度で積み上げて道路拡幅擁壁を形成する場合、この拡幅擁壁の急峻な前面がヘビ等の有害な動物の侵入を妨げる効果を享受できることに着目し、この拡幅擁壁に上記水場を形成することにより野鳥のより安全な水場を提供し、環境保全対策に資する。【解決手段】積ブロック１を積み上げて形成した擁壁１１において、該積ブロック１内部に空洞を設け、該空洞を画成する積ブロック１の前壁に空洞内に鳥が出入する小径の鳥出入口４を設けると共に、該空洞を画成する積ブロック１の底壁上に水場６を設けた擁壁。【選択図】        図２
2006037489.tif 000002
【特許請求の範囲】
【請求項１】
積ブロックを積み上げて形成した擁壁において、該積ブロック内部に空洞を設け、該空洞を画成する積ブロックの前壁に空洞内に野鳥が出入する小径の鳥出入口を設けると共に、該空洞を画成する積ブロックの底壁上に水場を設けたことを特徴とする擁壁。
【請求項２】
上記水場に補水する水供給手段を設けたことを特徴とする請求項１記載の擁壁。
【請求項３】
上記擁壁に擁壁背後の地山からの水抜きパイプを設け、該水抜きパイプを上記空洞内に開口せしめて上記水場に補水する構成としたことを特徴とする請求項１記載の擁壁。
【請求項４】
上記水場に水面を一定に保持する排水手段を設けたことを特徴とする請求項１記載の擁壁。
【発明の詳細な説明】
【技術分野】
【０００１】
本発明は積ブロックを積み上げて形成した擁壁に係り、殊に該擁壁にカワセミやヤマセミやショウドウツバメに代表される野鳥の水場を設けた擁壁に関する。
【背景技術】
【０００２】
特許文献１，２は積ブロック又はパネルを積み上げて形成した護岸擁壁において、該積ブロック又はパネルに前面で開口する横長孔を設け、これを鳥巣として供する環境護岸ブロックを提供している。
【０００３】
上記特許文献１は横長孔内に粘土質の土壌を中詰めし、野鳥が自ら掘削し巣穴を形成できるようにしており、又特許文献２は上記横長孔に土を充填せず鳥巣に供するとしている。何れも積ブロックに野鳥の営巣機能を付加したものである。
【０００４】
他方特願２００３−１１２５８３は例えば山間部等における道路を局部的に拡幅し、車がすれ違えるようにした道路拡幅工法として、積ブロックを積み上げて路面に向かい一定の伏角を以って形成されている擁壁の場合に、該擁壁の上段側に新たな積ブロックを該擁壁に対し一定の立ち上げ角、例えば垂直に積み上げ路面を拡幅する工法を提案し、有力な路面拡幅工法として実施に至っている。
【０００５】
出願人はこの路面拡幅工法について実施許諾を受け、その実施に参入しているが、この路面拡幅工法の実施を端緒に、この拡幅擁壁における環境保全対策として拡幅用積ブロックの空洞内に野鳥の水場機能、又は野鳥の水場機能と営巣機能を付加すること、又はこれらと共に野鳥を含む小動物が通い孔を通じて擁壁内を往来し、空洞を穴居として使用せしめることを検討し本案を得たものである。
【特許文献１】特開２００１−１５２４２８号公報
【特許文献２】特開２００１−２５４３３６号公報
【発明の開示】
【発明が解決しようとする課題】
【０００６】
上記の通り特許文献１，２は積ブロック又はパネルを利用して野鳥の営巣機能を付加し、自然環境を保全せんとする提案である。
【０００７】
これに対し本発明は上記積ブロックを積み上げて形成した擁壁において、この擁壁に野鳥の水場を提供し、自然環境の保全に資することを課題とし創案されたものである。
【０００８】
殊に上記一定の伏角を以って設けられた擁壁の上段側に積ブロックを立ち上げて拡幅擁壁を形成し、道路の拡幅を行う場合には、この拡幅擁壁が急峻に立ち上がる前面を有し、野鳥の外敵となるヘビ等の侵入を妨げる効果を有することに着目し、この拡幅擁壁に野鳥の水場機能を付加して環境対策に資せんとしたものである。
【０００９】
又水場の提供と共に鳥巣の提供をも可能にしたものである。この水場を設けた擁壁は上記道路拡幅工法に限らず、通常の伏角を以って形成された擁壁にも適用可能である。
【課題を解決するための手段】
【００１０】
本発明に係る擁壁は、積ブロックを積み上げて形成した擁壁を対象とし、該擁壁を形成する積ブロック内部に空洞を設け、該空洞を画成する積ブロックの前壁に空洞内に鳥が出入する小径の鳥出入口を設けると共に、該空洞を画成する積ブロックの底壁上に水場を設け、鳥出入口を画成する縁壁に鳥が止まり、更に空洞内に入って水場の水を飲むことができるようにしたものである。
【００１１】
積ブロックには前壁の小径の鳥出入口と共に該鳥出入口より下位の底壁に水溜まり桝を形成して置き、又この水溜まり桝の隣りに野鳥の営巣場又は植物の植生場又は野鳥の休み場を併設して置き、上記積み上げに供する。
【００１２】
上記擁壁には水場に補水する水供給手段を設け、水場に常時一定の水が保たれるようにする。例えば該水供給手段として、上記擁壁背後の地山から空洞内に達する水抜きパイプを設け、該水抜きパイプを上記水場上に開口せしめて補水する構成とする。
【００１３】
又は路上の雨水を集水してパイプにより水場に導水し補水することが可能である。
【００１４】
更に水場の水面を一定に保持する排水手段を設けて、水場の周域又は水場の中に鳥が降りたって適切に水飲みできるようにし、併せて水場又は営巣場の冠水を防止する。
【００１５】
本発明は積ブロックの底壁上に上記水場に隣接する営巣場又は植生場を設け、水飲みと営巣又は植生を促す場合を含む。
【発明の効果】
【００１６】
本発明は積ブロックを積み上げて形成した擁壁を利用し、該擁壁にカワセミ、ヤマセミ、ショウドウツバメ等に対し良好な環境の水場機能を付与した擁壁を提供することができ、自然環境の保全に有効である。
【００１７】
殊に上記した一定の伏角の擁壁の上段側に積ブロックを急峻な角度で積み上げて道路拡幅擁壁を形成する場合、この拡幅擁壁の急峻な前面がヘビ等の有害な動物の侵入を妨げる効果を享受でき、この拡幅擁壁に上記水場を形成することにより野鳥のより安全な水場を提供でき、環境保全対策として有効である。
【発明を実施するための最良の形態】
【００１８】
以下本発明を実施するための最良の形態を図１乃至図７に基づいて説明する。
【００１９】
以下に述べる説明は積ブロック１ａを一定の伏角を以って積み上げて形成した擁壁１１に水場６や営巣場９、植生場を設ける場合と、伏角を以って設けられた擁壁１１ａの中間から急峻な角度を以って拡幅用積ブロック１ｂを積み上げ拡幅用擁壁１１ｂを立ち上げる場合に共通する説明である。従って以下に説明する積ブロック１は積ブロック１ａ，１ｂを含み、擁壁１１は擁壁１１ａ，１１ｂを含むものとする。
【００２０】
上記拡幅用擁壁１１ｂは伏角を以って積まれた既存の擁壁１１ａの上段側の積ブロック１ａを撤去し、この撤去した部位に拡幅用積ブロック１ｂを積み上げて構築する。又は積ブロック１ａ，１ｂを順次積み上げて擁壁１１ａ，１１ｂを新設する。
【００２１】
図１，図２に示すように、本発明に係る擁壁は、積ブロック１を積み上げて形成した擁壁を対象とし、該擁壁を形成する積ブロック１内部に空洞２を設け、該空洞２を画成する積ブロック１の前壁３に空洞２内へ鳥が出入する小径の鳥出入口４を単数又は複数個開設すると共に、該空洞２を画成する積ブロック１の底壁５上に水場６を設け、鳥出入口４を通じ鳥が空洞２内に入って水場６の水を飲むことができるようにしたものである。
【００２２】
図３乃至図７に示すように、積ブロック１はコンクリートにて一体成形したものであり、前壁３に鳥出入口４を開設して置き、その底壁５上に鳥出入口４より下位に水溜まり桝７を同コンクリートにて一体成形して置く。
【００２３】
基本的には空洞２を画成する積ブロック１の壁の下端部にて上記水溜まり桝７を形成する。又は底壁５上に仕切り壁２９をコンクリートにて一体成形し、この仕切り壁２９と前壁３と左右側壁１２が協働して、又は前壁３と後壁１３とが協働して水溜まり桝７を形成し、その上位に前記鳥出入口４を開設する。
【００２４】
水溜まり桝７内にはゼオライト、炭、小石等の底込め材３０を水面付近まで敷き詰め、水場６内に鳥が降り立って水を飲めるようにする。
【００２５】
又底壁５上には上記水溜まり桝７に隣接して土壌８を入れたりすることができる野鳥の営巣場９又は植物の植生場を併設する。
【００２６】
即ち積ブロック１の底壁５上に上記水場６に隣接して営巣場９を設けて、営巣、育雛に必要な水場６を提供する。又は水場６に隣接して鳥が休息できる植生場又は休み場を設ける。
【００２７】
例えば図５に示すように、上記底壁５上の空洞スペースを鳥出入口４側の前段空洞スペースと地山側の後段空洞スペースに二分し、前段空洞スペースに営巣場９又は植生場又は休み場を設け、後段空洞スペースに水場６を設ける。
【００２８】
又は図６に示すように、積ブロック１の空洞２内の底壁５上に水場６を形成し、更に該積ブロック１の側方に隣接する別の積ブロック１の空洞２内の底壁５上に営巣場９又は植生場を併設する。この場合、両空洞２間の隔壁、即ち積ブロック１の側壁には両空洞２間を連通する通い孔２０を設けて置き、野鳥が水場６と営巣場９又は植生場とを行き来できるようにする。
【００２９】
又この通い孔２０は野鳥を含むリス、コウモリ、カエル等の小動物が空洞２内を往来する空洞連通孔として用い、これら小動物が擁壁１１内、即ち空洞２内を往来し、空洞２を住み家、休み場として使用せしめる。この場合、空洞２の前壁に設けた鳥出入口４はこれら小動物の出入口を構成し、動物に応じ、口径を設定する。又この小動物出入口は擁壁１１、例えば道路拡幅用擁壁１１ｂの最側端の側壁や天壁（コンクリート蓋２５）に開設することができる。又この場合、上記した水場６、又は以下に述べる水場６は小動物の水場を構成する。
【００３０】
図１，図６に示すように、植生場を併設する空洞２の前壁３には、植物に太陽光が照射でき且つ外方へ繁茂できるように、鳥出入口４より充分に大きな径の窓２１を開設して置く。
【００３１】
又は図１に示すように、上記水場６を設けた空洞２の下段に隣接する積ブロック１の空洞２内の底壁５上に上記植生場を設け、該植生場を設けた空洞２を画成する前壁３に上記窓２１を開設する。この場合、上記上段の水場６の排水を上記下段の植生場に供給することができる。
【００３２】
上記水場６にはこれに補水する水供給手段を設け、水場６に常時一定の水が保たれるようにする。例えば該水供給手段として、上記擁壁背後の地山から空洞２内に達する水抜きパイプ１０を設け、該水抜きパイプ１０を上記水場６上、即ち水溜まり桝７上に開口せしめて補水する構成とする。
【００３３】
上記水抜きパイプ１０の地山側の導水口には濾水砂又は濾水砂利を含むフィルタ２４を設け、水場６に土壌が供給されないようにする。
【００３４】
又は路面１９の排水溝又は排水桝から上記水溜まり桝７へパイプ１０を配管して補水する構成とする。
【００３５】
更に上記水場６に水面を一定に保持する排水手段を設けることにより、水場６の周域又は水場６の中に鳥が降りたって適切に水飲みできるようにし、併せて水場６又は営巣場９の冠水を防止する。
【００３６】
例えば図７等に示すように、積ブロック１の底壁５から排水パイプ２２を垂直に立ち上げ、好ましい例示として、この排水パイプ２２を底壁５と一体にコンクリート成形して置き、この排水パイプ２２の上端開口から水場６の水を溢出せしめて水面を保つようにする。
【００３７】
そしてこの溢出された排水を順次各下段の積ブロック１の空洞２に排水し、従って各下段の積ブロック１の底壁５上には排水孔２３を設け、最下段の積ブロック１の前壁３に設けた排水孔２３から外方へ放流する等の構成を採る。
【００３８】
上記擁壁１１内の空洞２に地山排水、雨水等を貯める構成により、雨水、地下水が一気に流れ出すのを防ぎ、擁壁が所謂ミニダムの役目を果たし、併せて擁壁崩落を防止する。
【００３９】
前記のように、山間部等における道路を局部的に拡幅し、車がすれ違えるようにする道路拡幅工法として、積ブロック１ａを積み上げて路面１９に向かい一定の伏角α１を以って形成されている既設の擁壁１１ａが存在する場合に、該擁壁１１ａの上段側に、例えば擁壁１１ａの中段から上方に新たな拡幅用積ブロック１ｂを該擁壁１１ａに対し急峻な立ち上げ角α２、例えば垂直に積み上げて拡幅用擁壁１１ｂを形成する工法が有力な路面拡幅工法として実施に至っている。
【００４０】
好ましい実施例として、以上説明した水場６は上記拡幅用擁壁１１ｂに形成することができる。即ち拡幅用積ブロック１ｂの内部に空洞２を設け、該空洞２を画成する積ブロック１ｂの前壁３に空洞２内に鳥が出入する小径の鳥出入口４を設けると共に、該空洞２を画成する積ブロック１ｂの底壁５上に上記水場６を設ける。
【００４１】
上記拡幅用積ブロック１ｂは一例として、前壁３と左右側壁１２と後壁１３と底壁５とを有し、更に底壁５後方に突出する控え部１４を有し、五者３，１２，１３，５をコンクリートにて一体成形し、上記前壁３と左右側壁１２と後壁１３と底壁５とにより上面において開放された有底箱形の室１６を画成しており、該拡幅用積ブロック１ｂを積み上げることによって上記上部開放面１５を上段の同ブロック１ｂにて閉鎖し空洞２を形成する。
【００４２】
又上記最上段の拡幅用積ブロック１ｂの開放面１５はコンクリート蓋２５にて閉鎖し、その上面にコンクリート又はアスファルトを打設して新設の路盤２６を形成し、既設の路盤２７と一平面となる路盤を形成する。
【００４３】
上記拡幅用積ブロック１ｂは下端の前後方向の幅Ｗ１と上端の前後方向の幅Ｗ２とがＷ１＜Ｗ２となるように設定され、更に各上段の拡幅用積ブロック１ｂの下端幅Ｗ１が各下段の拡幅用積ブロック１ｂの上端幅Ｗ２と一致するように設定する。
【００４４】
よって各拡幅用積ブロック１ｂの前壁３（前面）を略垂直に連続せしめ、既存の擁壁１１ａを形成する中段の積ブロック１ａの前壁３から垂直に立ち上がるようにし、更に後壁１３を既存の擁壁１１ａを形成する積ブロック１ａの前壁３と同じ伏角α１で連続するようにし、後壁１３に加わる荷重を前壁３で荷受けする構造にする。
【００４５】
前記のように、空洞２を画成する拡幅用積ブロック１ｂの四側壁の下端部にて上記水溜まり桝７を形成する。又は底壁５上に仕切り壁２９をコンクリートにて一体成形し、この仕切り壁２９と前壁３と左右側壁１２が協働して、又は前壁３と後壁１３とが協働して水溜まり桝７を形成し、その上位に前記鳥出入口４を開設する。
【００４６】
又後壁１３の背面と地山との間に裏込めコンクリート１７を打設し、控え部１４を該コンクリート１７内に埋設する。この裏込めコンクリート１７内には拡幅用積ブロック１ｂと結合した鉄筋２８を延ばし、同コンクリート１７内に埋設する。
【００４７】
上記各拡幅用積ブロック１ｂの前壁３と後壁１３と底壁５の左右方向の両端部は左右側壁１２より側方へ張り出し、該張り出し部１８の端面を左右に隣接する各拡幅用積ブロック１ｂの張り出し部１８の端面と突き合わせる。
【００４８】
斯くして伏角を以って施工された既存の擁壁１１ａの途中から急峻な立ち上げ角を以って立ち上がる拡幅用擁壁１１ｂを形成し、該拡幅用擁壁１１ｂ内、即ち該擁壁１１ｂを形成する拡幅用積ブロック１ｂ内に空洞２を形成し、該空洞２を画成する積ブロック１ｂの前壁３に空洞２内に鳥が出入する単数又は複数の小径の鳥出入口４を設けると共に、該空洞２を画成する積ブロック１ｂの底壁５上に上記水場６を設け、鳥出入口４を通じ鳥が空洞２内に入って水場６の水を飲むことができるようにする。
【００４９】
又一定の伏角を以って設けられた擁壁１１ａに排水用の空洞２が存在しない場合には、前記水場６に設けた排水パイプ２２からの溢出水を拡幅用擁壁１１ｂを形成する最下段の拡幅用擁壁１１ｂの前壁３に設けた排水孔２３を通じて外方へ放流する構成とする。
【図面の簡単な説明】
【００５０】
【図１】本発明の代表例として一定の伏角を以って設けられた擁壁の中間から立ち上げた拡幅用擁壁に、水場、営巣場、植生場を設けた場合の斜視図。
【図２】上記擁壁の断面図。
【図３】上記拡幅用擁壁に用いられる積ブロックの斜視図。
【図４】水場を設けた上記積ブロックの平面図。
【図５】水場と営巣場を設けた上記積ブロックの平面図。
【図６】隣接する積ブロックに水場と営巣場を設けた同積ブロックと擁壁の平面図。
【図７】上記水場を設けた積ブロックの断面図。
【符号の説明】
【００５１】
１，１ａ…積みブロック、１ｂ…拡幅用積みブロック、２…空洞、３…前壁、４…鳥出入口、５…底壁、６…水場、７…水溜まり桝、８…土壌、９…営巣場、１０…水抜きパイプ、１１，１１ａ…擁壁、１１ｂ…拡幅用擁壁、１２…左右側壁、１３…後壁、１４…控え部、１５…上部開放面、１６…室、１７…コンクリート、１８…張り出し部、１９…路面、２０…通い孔、２１…窓、２２…排水パイプ、２３…排水孔、２４…フィルタ、２５…コンクリート蓋、２６，２７…路盤、２８…鉄筋、２９…仕切り壁、３０…底込め材
【図１】
2006037489.tif 000003
【図２】
2006037489.tif 000004
【図３】
2006037489.tif 000005
【図４】
2006037489.tif 000006
【図５】
2006037489.tif 000007
【図６】
2006037489.tif 000008
【図７】
2006037489.tif 000009